(57)【特許請求の範囲】
【請求項１】
上部筐体と下部筐体とが各々の一端部で回動自在に回動機構により結合され、前記上部筐体と前記下部筐体の各内側面が密接した閉状態か、前記各内側面が離間した開状態のいずれかとされる折り畳み型の携帯通信機器に用いるキャリングケースであって、
前記上部筐体の内側面に対向する位置が少なくとも透明であり、かつ、先端部と側面部に第１及び第２の粘着用テープが設けられており、前記上部筐体全体を巻き付けて覆う第１の帯状素材と、
前記下部筐体の内側面に対向する位置が少なくとも透明であり、かつ、先端部と側面部に第３及び第４の粘着用テープが設けられており、前記下部筐体全体を巻き付けて覆う第２の帯状素材と、
前記第１の帯状素材と前記第２の帯状素材との間を、少なくとも縦方向及び横方向に伸縮自在に結合する弾性体と
を有し、前記第１乃至第４の粘着用テープのうちの所定の一つ粘着用テープは、前記上部筐体又は前記下部筐体に設けられた充電のためのコネクタ挿入部位置を覆うように設けられており、前記所定の一つの粘着用テープのみ開放・結合自在に構成されており、前記第１及び第２の粘着用テープを用いて前記第１の帯状素材により前記上部筐体を袋状に包み込むと共に、前記第３及び第４の粘着用テープを用いて前記第２の帯状素材により前記下部筐体を袋状に包み込んで装着されることを特徴とする携帯通信機器用キャリングケース。
【請求項２】
前記第１の帯状素材は、前記上部筐体の背面部を覆う第１の非伸縮素材と、該第１の非伸縮素材の一辺に結合され、前記上部筐体の内側面と両側面を覆い、かつ、先端部と側面部に前記第１及び第２の粘着用テープが設けられている可撓性のある第１の帯状透明素材とからなり、前記第２の帯状素材は、前記下部筐体の背面部を覆う第２の非伸縮素材と、該第２の非伸縮素材の一辺に結合され、前記下部筐体の内側面と両側面を覆い、かつ、先端部と側面部に前記第３及び第４の粘着用テープが設けられている可撓性のある第２の帯状透明素材とからなることを特徴とする請求項１記載の携帯通信機器用キャリングケース。
【請求項３】
前記第１の帯状透明素材に代えて、前記上部筐体の内側面の所定位置に穴が設けられた第１の帯状非透明又は半透明素材を用い、前記第２の帯状透明素材に代えて、前記下部筐体の内側面の所定位置に穴が設けられた第２の帯状非透明又は半透明素材を用いることを特徴とする請求項２記載の携帯通信機器用キャリングケース。
【請求項４】
上部筐体と下部筐体とが各々の一端部で回動自在に回動機構により結合され、前記上部筐体と前記下部筐体の各内側面が密接した閉状態か、前記各内側面が離間した開状態のいずれかとされ、かつ、充電端子部及びイヤホンジャック部の一方又は両方を有している折り畳み型の携帯通信機器に用いるキャリングケースであって、
前記上部筐体の内側面と側面部にそれぞれ密着する第１の柔軟性透明素材と、
前記下部筐体の内側面と側面部にそれぞれ密着する第２の柔軟性透明素材と、
前記第１の柔軟性透明素材と前記第２の柔軟性透明素材に結合されて、前記上部筐体と下部筐体の各背面部と密着する土台となり、前記第１の柔軟性透明素材との間で第１の袋形状部を形成し、前記第２の柔軟性透明素材との間で第２の袋形状部を形成し、少なくとも縦方向及び横方向に伸縮自在な弾性伸縮素材と
を有し、前記第１の袋形状部内に前記上部筐体が圧入装着されると共に、前記第２の袋形状部内に前記下部筐体が圧入装着され、前記第１の柔軟性透明素材又は前記第２の柔軟性透明素材は、前記充電端子部及び／又はイヤホンジャック部に対応する位置に、先端部に係止部材が形成された開閉部が設けられており、該係止部材の係止を解除して前記開閉部を開放したときに、前記充電端子部又は前記イヤホンジャック部を露出させる構成とされることを特徴とする携帯通信機器用キャリングケース。
【請求項５】
前記折り畳み型の携帯通信機器はカメラ部を有しており、前記第１の柔軟性透明素材又は前記第２の柔軟性透明素材は、前記カメラ部に対応する位置に係止部材が設けられており、前記カメラ部使用時は、該係止部材の係止を解除して被写体からの光を前記カメラ部に入射し、前記カメラ不使用時は、該係止部材を係止させて該カメラ部を覆い隠すことを特徴とする請求項４記載の携帯通信機器用キャリングケース。
【請求項６】
前記係止部材は、粘着用テープであることを特徴とする請求項４又は５記載の携帯通信機器用キャリングケース。
【請求項７】
前記折り畳み型の携帯通信機器は、前記上部筐体の内側面に少なくとも表示部が設けられ、前記下部筐体の内側面に少なくとも操作ボタンが配置された折り畳み型携帯電話機であることを特徴とする請求項１乃至６のうちいずれか一項記載の携帯通信機器用キャリングケース。
【発明の詳細な説明】
【０００１】
【発明の属する技術分野】
本発明は携帯通信機器用キャリングケースに係り、特に折り畳み型携帯電話機を収納して携帯する携帯通信機器用キャリングケースに関する。
【０００２】
【従来の技術】
折り畳み型携帯電話機においては、一体型の携帯電話機と同様に鞄やポケットの中に入れて携帯されることが多いが、キャリングケース等の収納ケースに挿入し、ベルトや鞄等へ装着して携帯されることもある。従来の折り畳み型携帯電話機用キャリングケースは、携帯電話機を折り畳んだ状態で収納する袋状の収納ケースである。
【０００３】
しかしながら、従来のキャリングケースでは、装着する折り畳み型携帯電話機のサイズが限定されているため、サイズの異なる種々の折り畳み型携帯電話機を機種替えする度にキャリングケースを変更しなくてはいけないという問題がある。
【０００４】
そこで、従来よりキャリングケースを展開及び折り畳み自在に形成することにより、携帯電話機のサイズ、形が一定でない場合もゆとりを持って自由に使用し得るキャリングケースが提案されている（例えば、実用新案登録第３０６０９８０号公報）。この従来のキャリングケースは、展開した形がＩ字形を呈する１枚のシート状本体を折り立てて前面部と、その左右両側の側面部と、前面部下縁に底面部を解して後面部をそれぞれ一体に有するケース体となし、前面部の両側の側面部は前面部の前方又は後方へ折り返されると共に、後面部を前面部の後方へ折り返されて左右側面部の外面又は内面と重合して離接可能に係着される構成としたものである。
【０００５】
【発明が解決しようとする課題】
しかしながら、従来のキャリングケースでは、折り畳み型携帯電話機に適用したものではなく、また、表示閲覧、ボタン操作、通話等の際に、キャリングケースから折り畳み型携帯電話機を取り出す必要があり、非常に面倒であるという問題がある。更には、充電する際やイヤホンジャックを使用する際、または最近の新機種に搭載されているカメラを使用する際にもキャリングケースから折り畳み型携帯電話機を取り出す必要があり、非常に面倒である。
【０００６】
また、更に、最近の新機種の携帯電話機に搭載されているカメラにおいては、通常、携帯電話機の背面部に設置されているが、電車等の人ごみの中で携帯電話機の表示部を見ながらメールを打つ場合には、自分と相対する他人にカメラが向けられるため、実際にカメラを使用していなくても自分と相対する他人の気分を害するという問題がある。
【０００７】
本発明は以上の点に鑑みなされたもので、収納したままで携帯通信機器の使用が可能な携帯通信機器用キャリングケースを提供することを目的とする。
【０００８】
また、本発明の他の目的は、携帯通信機器のサイズに関係なく携帯通信機器を収納し得る携帯通信機器用キャリングケースを提供することにある。
【０００９】
更に、本発明の他の目的は、搭載されたカメラの不使用時に他人にカメラを向けてしまうことを防止し得る携帯通信機器用キャリングケースを提供することにある。
【００１０】
【課題を解決するための手段】
上記の目的を達成するため、本発明の第１のキャリングケースは、上部筐体と下部筐体とが各々の一端部で回動自在に回動機構により結合され、上部筐体と下部筐体の各内側面が密接した閉状態か、各内側面が離間した開状態のいずれかとされる折り畳み型の携帯通信機器に用いるキャリングケースであって、上部筐体の内側面に対向する位置が少なくとも透明であり、かつ、先端部と側面部に第１及び第２の粘着用テープが設けられており、上部筐体全体を巻き付けて覆う第１の帯状素材と、下部筐体の内側面に対向する位置が少なくとも透明であり、かつ、先端部と側面部に第３及び第４の粘着用テープが設けられており、下部筐体全体を巻き付けて覆う第２の帯状素材と、第１の帯状素材と第２の帯状素材との間を、少なくとも縦方向及び横方向に伸縮自在に結合する弾性体とを有し、上記の第１乃至第４の粘着用テープのうちの所定の一つ粘着用テープは、上部筐体又は下部筐体に設けられた充電のためのコネクタ挿入部位置を覆うように設けられており、所定の一つの粘着用テープのみ開放・結合自在に構成されており、第１及び第２の粘着用テープを用いて第１の帯状素材により上部筐体を袋状に包み込むと共に、第３及び第４の粘着用テープを用いて第２の帯状素材により下部筐体を袋状に包み込んで装着されることを特徴とする。
【００１１】
この発明では、伸縮自在な弾性体により、上部筐体を袋状に包み込んでいる第１の帯状素材と、下部筐体を袋状に包み込んでいる第２の帯状素材とを結合するようにしているため、第１の帯状素材と第２の帯状素材を、それぞれ上部筐体及び下部筐体を袋状に包み込んだままの状態で開閉することができる。
【００１２】
また、第１の帯状素材の上部筐体の内側面に対向する位置が透明であり、第２の帯状素材の下部筐体の内側面に対向する位置が透明であるため、上部筐体の内側面と下部筐体に内側面に設けられた表示部の閲覧や操作ボタンの操作が可能にできる。また、この発明では、所定の粘着用テープのみを開放することで、他の大部分はキャリングケース内に収納したままの状態でコネクタ挿入部位置だけを露出させることができる。
【００１３】
また、上記の目的を達成するため、本発明の第２のキャリングケースは、上記の第１の帯状素材を、上部筐体の背面部を覆う第１の非伸縮素材と、第１の非伸縮素材の一辺に結合され、上部筐体の内側面と両側面を覆い、かつ、先端部と側面部に第１及び第２の粘着用テープが設けられている可撓性のある第１の帯状透明素材とからなり、第２の帯状素材を、下部筐体の背面部を覆う第２の非伸縮素材と、第２の非伸縮素材の一辺に結合され、下部筐体の内側面と両側面を覆い、かつ、先端部と側面部に第３及び第４の粘着用テープが設けられている可撓性のある第２の帯状透明素材とからなる構成としたものである。この発明では、第１及び第２の非伸縮素材により、上部筐体の背面部と下部筐体の背面部を強固に固定可能である。
【００１４】
また、上記の目的を達成するため、本発明の第３のキャリングケースは、第１の帯状透明素材に代えて、上部筐体の内側面の所定位置に穴が設けられた第１の帯状非透明又は半透明素材を用い、第２の帯状透明素材に代えて、下部筐体の内側面の所定位置に穴が設けられた第２の帯状非透明又は半透明素材を用いることを特徴とする。この発明では、全体が帯状の非透明素材又は半透明素材を使用できる。
【００１７】
また、上記の目的を達成するため、本発明の第４のキャリングケースは、上部筐体と下部筐体とが各々の一端部で回動自在に回動機構により結合され、上部筐体と下部筐体の各内側面が密接した閉状態か、各内側面が離間した開状態のいずれかとされ、かつ、充電端子部及びイヤホンジャック部の一方又は両方を有している折り畳み型の携帯通信機器に用いるキャリングケースであって、上部筐体の内側面と側面部にそれぞれ密着する第１の柔軟性透明素材と、下部筐体の内側面と側面部にそれぞれ密着する第２の柔軟性透明素材と、第１の柔軟性透明素材と第２の柔軟性透明素材に縫合されて、上部筐体と下部筐体の各背面部と密着する土台となり、第１の柔軟性透明素材との間で第１の袋形状部を形成し、第２の柔軟性透明素材との間で第２の袋形状部を形成し、少なくとも縦方向及び横方向に伸縮自在な弾性伸縮素材とを有し、第１の袋形状部内に上部筐体が圧入装着されると共に、第２の袋形状部内に下部筐体が圧入装着され、第１の柔軟性透明素材又は第２の柔軟性透明素材は、充電端子部及び／又はイヤホンジャック部に対応する位置に、先端部に係止部材が形成された開閉部が設けられており、係止部材の係止を解除して開閉部を開放したときに、充電端子部又はイヤホンジャック部を露出させる構成とされる構成としたものである。
【００１８】
この発明では、第１の柔軟性透明素材と伸縮自在な弾性伸縮素材とにより形成された第１の袋形状部に上部筐体が圧入装着され、第２の柔軟性透明素材と伸縮自在な弾性伸縮素材とにより形成された第２の袋形状部に下部筐体が圧入装着されるようにしたため、折り畳み型通信機器のサイズに拘らず、折り畳み型通信機器を装着することができ、また、上部筐体及び下部筐体を袋状に包み込んだままの状態で開閉することができる。また、この発明では、上部筐体の内側面と下部筐体の内側面とが、それぞれ第１及び第２の柔軟性透明素材により覆われているので、上部筐体の内側面と下部筐体に内側面に設けられた表示部の閲覧や操作ボタンの操作ができる。
【００２０】
この発明では、折り畳み型携帯通信機器をキャリングケースに装着したままの状態で、係止部材の係止を解除して開閉部だけを開閉することで、充電端子部又はイヤホンジャック部を露出させることができる。
【００２１】
また、上記の目的を達成するため、本発明の第５のキャリングケースは、折り畳み型の携帯通信機器はカメラ部を有しており、第１の柔軟性透明素材又は第２の柔軟性透明素材は、カメラ部に対応する位置に係止部材が設けられており、カメラ部使用時は、係止部材の係止を解除して被写体からの光をカメラ部に入射し、カメラ不使用時は、係止部材を係止させてカメラ部を覆い隠すことを特徴とする。この発明では、カメラ部を使用しないときには、キャリングケースに装着された状態にある携帯型通信機器のカメラ部を係止部材により覆い隠すことができる。
【００２３】
ここで、本発明の第６のキャリングケースは、上記の第４又は第５の発明のキャリングケースの係止部材を粘着用テープとしたものであり、これにより簡単に係止及び係止解除ができる。
【００２４】
【発明の実施の形態】
次に、本発明の実施の形態について図面と共に説明する。図１は折り畳み型携帯電話機が折り畳み状態にあるときの本発明になるキャリングケースの第１の実施の形態の外観斜視図、図２は折り畳み型電話機が開状態にあるときの本発明になるキャリングケースの第１の実施の形態の外観斜視図、図３は折り畳み型携帯電話機を収納する前の本発明になるキャリングケースの第１の実施の形態の外観斜視図を示す。各図中、同一構成部分には同一符号を付してある。
【００２５】
図１〜図３に示すように、本発明の第１の実施の形態のキャリングケース１は、２つの粘着用テープ６及び７が２箇所に設けられた可撓性のある第１の帯状透明素材５と、２つの粘着用テープ９及び１０が２箇所に設けられた可撓性のある第２の帯状透明素材６と、帯状透明素材５及び６に縫合されキャリングケース１の土台となる第１及び第２の非伸縮素材２及び３と、２種類の非伸縮素材２及び３を縫合し折り畳み型携帯電話機１１の開閉動作がスムーズに行えるための弾性体４とより構成されている。なお、粘着用テープ６及び７及び後述の粘着用テープ９及び１０としては、例えばマジックテープ（登録商標）を用い得る。
【００２６】
折り畳み型携帯電話機１１の表示部１１ａ側に装着される携帯電話機用キャリングケース１の構成は、折り畳み型携帯電話機１１の表示部１１ａと、上部と両側面部とを包み込む帯状透明素材５と、帯状透明素材５の一辺と縫合され折り畳み型携帯電話機１１の表示部側背面部１１ｃを覆う非伸縮素材２と、帯状透明素材５に設けられ帯状透明素材５で折り畳み型携帯電話機１１を包み込んだ後に袋状を形成し、その形状を固定する粘着用テープ６と粘着用テープ７とで構成されている。
【００２７】
折り畳み型携帯電話機１１のボタン操作部１１ｂ側に装着される携帯電話機用キャリングケース１の構成は、折り畳み型携帯電話機１１のボタン操作部１１ｂと、底部と両側面部とを包み込む帯状透明素材８と、帯状透明素材８の一辺と縫合され折り畳み型携帯電話機１１のボタン操作部側背面部１１ｄを覆う非伸縮素材３と、帯状透明素材８に設けられ帯状透明素材８で折り畳み型携帯電話機１１を包み込んだ後に袋状を形成し、その形状を固定する粘着用テープ９と粘着用テープ１０とで構成されている。非伸縮部材２と非伸縮素材３とは、少なくとも縦方向及び横方向にそれぞれ伸縮自在な弾性体４で縫合されている。
【００２８】
次に、折り畳み型携帯電話機用キャリングケース１を折り畳み型携帯電話機１１に装着する方法について、順を追って説明する。まず、折り畳み型携帯電話機１１の表示部側背面部１１ｃの面と、キャリングケース１の非伸縮素材２の内側面とを合わせ、キャリングケース１の非伸縮素材２の一辺に縫合された帯状透明素材５で折り畳み型携帯電話機１１の表示部１１ａを覆いながら巻き付けるようにして、折り畳み型携帯電話機１１の上部と側面部とを覆っていく。
【００２９】
キャリングケース１の帯状透明素材５には、折り畳み型携帯電話機１１の上部を覆う箇所の先端部にキャリングケース１の非伸縮素材２の外側面に設置された粘着用テープ部と結合する粘着用テープ６を有し、折り畳み型携帯電話機１１の側面部を覆う箇所の先端部にはキャリングケース１の非伸縮素材２の外側面に設置された粘着用テープ部と結合する粘着用テープ７を有していて、キャリングケース１の帯状透明素材５で折り畳み型携帯電話機１１の表示部１１ａを覆った後、非伸縮素材２の外側面上部に設けられた粘着用テープ部と側面部に設けられた粘着用テープ部をそれぞれ帯状透明素材５の粘着用テープ６と粘着用テープ７で結合することにより、キャリングケース１が袋状に形成され、折り畳み型携帯電話機１１の表示部１１ａ側が折り畳み型携帯電話機１１のサイズに適した大きさでキャリングケース１に装着される。
【００３０】
次に、折り畳み型携帯電話機１１のボタン操作部側背面部１１ｄの面と、キャリングケース１の非伸縮素材３の内側面とを合わせ、キャリングケース１の非伸縮素材３の一辺に縫合された帯状透明素材８で折り畳み型携帯電話機１１のボタン操作部１１ｂを覆いながら巻き付けるようにして、折り畳み型携帯電話機１１の底部と側面部とを覆っていく。
【００３１】
キャリングケース１の帯状透明素材８には、折り畳み型携帯電話機１１の底部を覆う箇所の先端部にキャリングケース１の非伸縮素材３の外側面に設置された粘着用テープ部と結合する粘着用テープ９を有し、折り畳み型携帯電話機１１の側面部を覆う箇所の先端部にはキャリングケース１の非伸縮素材３の外側面に設置された粘着用テープ部と結合する粘着用テープ１０を有していて、キャリングケース１の帯状透明素材８で折り畳み型携帯電話機１１のボタン操作部１１ｂを覆った後、非伸縮素材３の外側面の底部に設けられた粘着用テープ部と側面部に設けられた粘着用テープ部をそれぞれ帯状透明素材８の粘着用テープ９と粘着用テープ１０で結合することにより、キャリングケース１が袋状に形成され、折り畳み型携帯電話機１１のボタン操作部１１ｂ側が折り畳み型携帯電話機１１のサイズに適した大きさでキャリングケース１に装着される。
【００３２】
キャリングケース１の非伸縮素材２及び３は、それぞれ少なくとも縦方向及び横方向に伸縮自在な弾性体４で縫合されているため、これにより、折り畳み型携帯電話機１１が非伸縮素材２及び３と、帯状透明素材５及び８と、粘着用テープ６、７、９及び１０とで形成された袋状のキャリングケース１により、サイズに適した大きさで完全に装着されることとなる。
【００３３】
折り畳み型携帯電話機１１を装着したキャリングケース１は、伸縮自在な弾性体４を有しているので、キャリングケース１を装着したままの状態で開閉可能であり、閉状態（折り畳み状態）のときには図１に示すように、また開状態のときには図２に示すようになり、通話に関してもキャリングケース１を装着したままの状態で可能である。
【００３４】
すなわち、図２に示すように、折り畳み型携帯電話機１１の表示部１１ａはキャリングケース１の帯状透明素材５により覆われているので、表示閲覧がキャリングケース１を装着したままで行え、更に、ボタン操作部１１ｂはキャリングケース１の帯状透明素材８により覆われており、少なくとも帯状透明素材８は可撓性を有しているので、帯状透明素材８を通してボタン操作部１１ｂの操作がそのまま行える。すなわち、折り畳み型携帯電話機１１の表示閲覧及びボタン操作は、キャリングケース１を装着していても、キャリングケース１を装着していない状態と同様に行うことができる。
【００３５】
更に、図示は省略したが、キャリングケース１の非伸縮素材３の外側面にクリップを設置することにより、ベルトや鞄に取り付けることが可能である。また更に、充電したい場合には、図２に示したように、キャリングケース１の帯状透明素材８に設置されている粘着用テープ９の箇所のみを剥がして、折り畳み型携帯電話機１１のコネクタ挿入部１１ｅに充電コネクタを差し込んで充電をすることもできる。
【００３６】
このように、本実施の形態のキャリングケース１によれば、伸縮自在に弾性体４で、折り畳み型携帯電話機１１の表示部１１ａのある上側筐体を覆うための非伸縮素材２と、折り畳み型携帯電話機１１のボタン操作部１１ｂのある下側筐体を覆うための非伸縮素材３とを結合しているので、キャリングケース１を装着したままの状態で折り畳み型携帯電話機を開閉することができる。また、折り畳み型携帯電話機１１の表示部１１ａとボタン操作部１１ｂはそれぞれ帯状透明素材５及び８で覆うようにしているので、表示閲覧及びボタン操作がキャリングケース１を装着したままの状態でできる。
【００３７】
また、粘着用テープ９を剥がすだけで充電が簡単にでき、更に、折り畳み型携帯電話機１１のサイズに拘らず、折り畳み型携帯電話機１１のサイズに適した装着ができる。
【００３８】
次に、本発明の第２の実施の形態について説明する。図４は折り畳み型携帯電話機が折り畳み状態にあるときの本発明になるキャリングケースの第２の実施の形態の外観斜視図、図５は折り畳み型電話機が開状態にあるときの本発明になるキャリングケースの第２の実施の形態の外観斜視図、図６は折り畳み型携帯電話機を収納する前の本発明になるキャリングケースの第２の実施の形態の外観斜視図、図７はカメラを使用する場合の本発明になるキャリングケースの第２の実施の形態の外観斜視図、図８は充電やイヤホンジャックを使用する場合の本発明になるキャリングケースの第２の実施の形態の外観斜視図を示す。各図中、同一構成部分には同一符号を付してある。
【００３９】
図４〜図８に示すように、本発明の第２の実施の形態のキャリングケース１３の部品構成は、２箇所の柔軟性透明素材１５及び１６と、それら柔軟性透明素材１５及び１６に縫合されキャリングケース１３の土台となる弾性伸縮素材１４と、３箇所の粘着用テープ１７、１８及び１９とで構成されている。なお、粘着用テープ１７、１８及び１９としては、例えばマジックテープ（登録商標）を用い得る。
【００４０】
本実施の形態のキャリングケース１３の構成は、図４〜図８に示すように、折り畳み型携帯電話機２０の表示部２０ａの面と、表示部側側面部２０ｃの面と、表示部側上面部２０ｄの面にそれぞれ密着する柔軟性透明素材１５と、折り畳み型携帯電話機２０のボタン操作部２０ｂの面と、操作部側側面部２０ｇの面と、操作部側底面部２０ｈの面とにそれぞれ密着する柔軟性透明素材１６と、表示部側背面部２０ｃの面と操作部側背面部２０ｉの面とに密着し、前記柔軟性透明素材１５及び１６に縫合されている弾性伸縮素材１４と、折り畳み型携帯電話機２０の充電端子部２０ｍを遮蔽又は露出する柔軟性透明素材１６の底部１６ａの先端に設けられた粘着用テープ１７と、折り畳み型携帯電話機２０のイヤホンジャック部２０ｊを遮蔽又は露出する柔軟性透明素材１６の側面部１６ｂの先端部に設けられた粘着用テープ１８と、折り畳み型携帯電話機２０のカメラ部２０ｋを遮蔽又は露出する粘着用テープ１９とよりなる。
【００４１】
すなわち、本実施の形態のキャリングケース１３は、折り畳み型携帯電話機２０の表示部２０ａと表示部側側面部２０ｃと表示部側上面部２０ｄと表示部側背面部２０ｅとを柔軟性透明素材１５及び弾性伸縮素材１４で包み込むと共に、折り畳み型携帯電話機２０のボタン操作部２０ｂと操作部側側面部２０ｇと操作部側底面部２０ｈと操作部側背面部２０ｉとを柔軟性透明素材１６及び弾性伸縮素材１４で包み込む、２箇所の袋部を有するキャリングケースであり、折り畳み型携帯電話機２０のサイズに拘らず、弾性伸縮素材１４の伸縮性を利用して折り畳み型携帯電話機２０へ装着することが可能であり、また、装着したままの状態で折り畳み型携帯電話機２０の開閉、表示閲覧、ボタン操作、通話等が実施可能であり、さらにはイヤホンジャック部２０ｊやカメラ部２０ｋの使用が可能である。
【００４２】
次に、本実施の形態のキャリングケース１３を折り畳み型携帯電話機２０に装着する方法を順に説明する。まず、折り畳み型携帯電話機２０の表示部２０ａ側を図６に示すように、キャリングケース１３の柔軟性透明素材１５と弾性伸縮素材１４とで形成された第１の袋形状部分に挿入する。この第１の袋形状部分は、折り畳み型携帯電話機２０の断面形状より小さく形成されていて、折り畳み型携帯電話機２０の表示部２０ａ側が圧入気味で挿入されることにより、弾性伸縮素材１４が伸びて、折り畳み型携帯電話機２０の表示部２０ａ側のサイズに適した大きさで表示部２０ａ側を収納する。
【００４３】
図６に示すように、折り畳み型携帯電話機２０の上面部２０ｄに密着する柔軟性透明素材１５の上部１５ａには、穴１５ｂが２箇所設けられており、折り畳み型携帯電話機２０のアンテナ２０ｆが干渉しない形状となっている。図４〜図８ではアンテナ２０ｆが表示部２０ａを見る方向で右側に配置されているが、仮にアンテナ２０ｆが左側に配置されている場合でも、柔軟性透明素材１５の上部１５ａには、穴１５ｂが２箇所設けられているため、干渉することはない。
【００４４】
次に、折り畳み型携帯電話機２０のボタン操作部２０ｂ側をキャリングケース１３の柔軟性透明素材１６と弾性伸縮素材１４とで形成された第２の袋形状部分に挿入する。この第２の袋形状部分は、折り畳み型携帯電話機２０の断面形状より小さく形成されていて、折り畳み型携帯電話機２０のボタン操作部２０ｂ側が圧入気味で挿入されることにより、弾性伸縮素材１４が伸びて、折り畳み型携帯電話機２０のボタン操作部２０ｂ側のサイズに適した大きさでボタン操作部２０ｂ側を収納する。
【００４５】
以上の手順で、折り畳み型携帯電話機２０は、２箇所の柔軟性透明素材１５及び１６と、これら柔軟性透明素材１５及び１６に縫合され少なくとも縦方向と横方向に伸縮自在な弾性伸縮素材１４とで形成されたキャリングケース１３により完全に装着される。
【００４６】
折り畳み型携帯電話機２０を装着したキャリングケース１３は、伸縮自在な弾性伸縮素材１４を有しているので、キャリングケース１３を装着したままの状態で開閉可能であり、閉状態（折り畳み状態）のときには図４に示すように、また開状態のときには図５に示すようになり、通話に関してもキャリングケース１３を装着したままの状態で可能である。
【００４７】
すなわち、図５に示すように、折り畳み型携帯電話機２０の表示部２０ａはキャリングケース１３の柔軟性透明素材１５により覆われているので、表示閲覧がキャリングケース１３を装着したままで行え、更に、ボタン操作部２０ｂはキャリングケース１３の柔軟性透明素材１６により覆われており、少なくとも柔軟性透明素材１６は柔軟性を有しているので、柔軟性透明素材１６を通してボタン操作部２０ｂの操作がそのまま行える。すなわち、折り畳み型携帯電話機２０の表示閲覧及びボタン操作は、キャリングケース１３を装着していても、キャリングケース１３を装着していない状態と同様に行うことができる。
【００４８】
更に、図示は省略したが、キャリングケース１３の弾性伸縮素材１４の外側面にクリップを設置することにより、ベルトや鞄に取り付けることが可能である。また更に、折り畳み型携帯電話機２０をキャリングケース１３に装着したままの状態で充電したい場合には、図８に示すように、キャリングケース１３の柔軟性透明素材１６の底部１６ａの先端部に設置されている粘着用テープ１７を剥がして、折り畳み型携帯電話機２０の充電端子部２０ｍを覆っている底部１６ａを折り返して露出させ、この充電端子部２０ｍに充電コネクタを差し込んで充電をすることができる。
【００４９】
また、折り畳み型携帯電話機２０をキャリングケース１３に装着したままの状態でイヤホンマイクを使用したい場合には、図８に示すように、キャリングケース１３の柔軟性透明素材１６の側面部１６ｂの先端部に設置されている粘着用テープ１８を剥がして、折り畳み型携帯電話機２０のイヤホンジャック部２０ｊを覆っている側面部１６ｂを折り返して露出させ、このイヤホンジャック部２０ｊにイヤホンマイクを差し込んで音を聞くことができる。
【００５０】
更に、折り畳み型携帯電話機２０をキャリングケース１３に装着したままの状態でカメラを使用したい場合には、図７に示すようにキャリングケース１３の背面部１３ａに設けられた粘着用テープ１９を剥がして、カメラ部２０ｋの前方を開放し、カメラ部２０ｋに被写体からの光が入射するようにする。これにより、カメラ部２０ｋにより撮像ができる。
【００５１】
なお、粘着用テープ１９の一端部は、カメラ部２０ｋ使用時に、キャリングケース１３の弾性伸縮素材１４から剥がれ落ちないように固着されている。また、カメラ部２０ｋを使用しないときには、粘着用テープ１９が弾性伸縮素材１４に粘着されてカメラ部２０ｋを覆い隠しており、被写体からの光を遮光している。
【００５２】
このように、本実施の形態のキャリングケース１３によれば、折り畳み型携帯電話機２０の表示部側とボタン操作部側を柔軟性透明素材１５及び１６と弾性伸縮素材１４とで構成された伸縮自在の袋形状部へ圧入装着可能であるため、折り畳み型携帯電話機のサイズに拘らず装着することができ、また、充電する際やイヤホンジャックを使用する際やカメラ部２０ｋを使用する際には、粘着用テープ１７、１８、１９を剥がすことで、折り畳み型携帯電話機２０を装着したままの状態で行うことができる。
【００５３】
更に、本実施の形態のキャリングケース１３によれば、カメラ部２０ｋを使用していないときには、粘着用テープ１９でカメラ部２０ｋを覆い隠すことができるため、電車等の人ごみの中で折り畳み型携帯電話機２０の表示部２０ａを見ながらメールを打つ場合において、通常、折り畳み型携帯電話機２０の背面部に搭載されたカメラ部２０ｋが使用者と相対する他人へ向けられることを防止できる。
【００５４】
なお、本発明は以上の実施の形態に限定されるものではなく、例えば折り畳み型携帯電話機以外の折り畳み型携帯通信機器（例えば、ノートパソコンやＰＤＡ）にも同じ構成にて適用可能である。また、上記の実施の形態では、折り畳み型携帯電話機の表示部とボタン操作部に対向する面側を帯状透明素材とするか、柔軟性透明素材で覆うことにより、表示閲覧やボタン操作がキャリングケースを装着したままの状態でできるようにしたが、透明素材を使用せず、不透明素材を用いても、表示部に対向する位置及びボタン操作部に対向する位置に穴を設けることにより、キャリングケースを装着したままの状態でも表示閲覧やボタン操作ができるので、透明素材に代わりに所定位置に穴のあいた不透明素材を使用することもできる。また、不透明素材の代わりに所定の位置に穴が設けられた半透明素材を使用することも可能である。
【００５５】
更に、非伸縮素材２、３を設けず、すべてを帯状の透明素材で構成することも原理的には可能である。また、粘着用テープの設置箇所は実施の形態のものに限定されるものではなく、折り畳み型携帯電話機の機能に合わせて、更に粘着用テープの設置箇所を増やして使い勝手を向上するようにしてもよい。また、粘着用テープの設置位置についても、多種多様な折り畳み型携帯電話機を想定して複数箇所に設けてもよい。また、粘着用テープとしては、マジックテープ（登録商標）を例にあげたが、本発明は粘着用テープに限定されるものではなく、ホックのような着脱可能なボタンなど、弾性伸縮素材１４又は柔軟性透明素材１６に対して着脱可能な部材、すなわち係止部材であれば適用可能である。
【００５６】
更に、コネクタ挿入部は、実施の形態のような下部筐体に設けられた折り畳み型携帯電話機に限定されるものではなく、上部筐体にあってもよく、更には下部筐体または上部筐体の側面部に設けられているものにも適用可能である。
【００５７】
【発明の効果】
以上説明したように、本発明によれば、伸縮自在な弾性体により、上部筐体を袋状に包み込んでいる第１の帯状素材と、下部筐体を袋状に包み込んでいる第２の帯状素材とを結合することにより、第１の帯状素材と第２の帯状素材を、それぞれ上部筐体及び下部筐体を袋状に包み込んだままの状態で開閉できるようにしたため、キャリングケースを装着したままの状態で通信等の使用ができる。
【００５８】
また、本発明によれば、第１の帯状素材の上部筐体の内側面に対向する位置が透明であり、第２の帯状素材の下部筐体の内側面に対向する位置が透明であるため、キャリングケースを装着したままの上部筐体の内側面と下部筐体に内側面に設けられた表示部の閲覧や操作ボタンの操作が可能にでき、よって、従来のキャリングケースに比べて使い勝手を大幅に向上することができる。
【００５９】
更に、本発明によれば、所定の粘着用テープのみを開放することで、他の大部分はキャリングケース内に収納したままの状態でコネクタ挿入部位置だけを露出させることができるようにしたため、充電したい場合には上記の所定の粘着用テープのみを開放して（剥がして）コネクタを差し込み充電することができ、キャリングケースを折り畳み型携帯通信機器から取り外さなくても充電が簡単にできる。
【００６０】
また、更に本発明によれば、第１及び第２の粘着用テープを用いて第１の帯状素材により上部筐体を袋状に包み込みと共に、第３及び第４の粘着用テープを用いて第２の帯状素材により下部筐体を袋状に包み込んで装着するようにしたため、折り畳み型携帯通信機器のサイズに拘らず、折り畳み型通信機器のサイズに適した大きさで当該折り畳み型携帯通信機器を収納することができる。
【００６１】
また、本発明によれば、第１の柔軟性透明素材と伸縮自在な弾性伸縮素材とにより形成された第１の袋形状部に上部筐体が圧入装着され、第２の柔軟性透明素材と伸縮自在な弾性伸縮素材とにより形成された第２の袋形状部に下部筐体が圧入装着されるようにしたため、折り畳み型通信機器のサイズに拘らず、折り畳み型通信機器を装着することができ、折り畳み型通信機器のサイズに適したキャリングケースを提供できる。
【００６２】
また、本発明によれば、第１及び第２の袋形状部が弾性伸縮素材により縫合されているため、上部筐体及び下部筐体を袋形状部に包み込んだままの状態で開閉することができ、また、上部筐体の内側面と下部筐体の内側面とが、それぞれ第１及び第２の柔軟性透明素材により覆われているので、キャリングケースに装着したままの状態で上部筐体の内側面と下部筐体に内側面に設けられた表示部の閲覧や操作ボタンの操作ができる。
【００６３】
また、本発明によれば、折り畳み型携帯通信機器をキャリングケースに装着したままの状態で、係止部材の係止を解除して開閉部だけを開閉することで、充電端子部又はイヤホンジャック部を露出させることができ、カメラ部を使用するときにもキャリングケースから取り外さなくても係止部材の係止を解除だけで使用することができ、使い勝手を向上できる。
【００６４】
更に、本発明によれば、カメラ部を使用しないときには、キャリングケースに装着された状態にある携帯通信機器のカメラ部を係止部材により覆い隠すようにしたため、電車等の人ごみの中で折り畳み型携帯通信機器の表示部を見ながらメールを打つ場合において、通常、折り畳み型携帯通信機器の背面部に搭載されたカメラ部が使用者と相対する他人へ向けられることがなく、使用者と相対する他人の気分を害することを防止できる。
【図面の簡単な説明】
【図１】折り畳み型携帯電話機が折り畳み状態にあるときの本発明になるキャリングケースの第１の実施の形態の外観斜視図である。
【図２】折り畳み型電話機が開状態にあるときの本発明になるキャリングケースの第１の実施の形態の外観斜視図である。
【図３】折り畳み型携帯電話機を収納する前の本発明になるキャリングケースの第１の実施の形態の外観斜視図である。
【図４】折り畳み型携帯電話機が折り畳み状態にあるときの本発明になるキャリングケースの第２の実施の形態の外観斜視図である。
【図５】折り畳み型電話機が開状態にあるときの本発明になるキャリングケースの第２の実施の形態の外観斜視図である。
【図６】折り畳み型携帯電話機を収納する前の本発明になるキャリングケースの第２の実施の形態の外観斜視図である。
【図７】カメラを使用する場合の本発明になるキャリングケースの第２の実施の形態の外観斜視図である。
【図８】充電やイヤホンジャックを使用する場合の本発明になるキャリングケースの第２の実施の形態の外観斜視図である。
【符号の説明】
１、１３  キャリングケース
２、３  非伸縮素材
４  弾性体
５、８  帯状透明素材
６、７、９、１０、１７、１８、１９  粘着用テープ
１１、２０  折り畳み型携帯電話機
１１ａ、２０ａ  表示部
１１ｂ、２０ｂ  ボタン操作部
１１ｃ、２０ｅ  表示部側背面部
１１ｄ、２０ｉ  ボタン操作部側背面部
１１ｅ  コネクタ挿入部
１４  弾性伸縮素材
１５、１６  柔軟性透明素材
２０ｃ  表示部側側面部
２０ｄ  表示部側上面部
２０ｆ  アンテナ
２０ｇ  操作部側側面部
２０ｈ  操作部側底面部
２０ｊ  イヤホンジャック部
２０ｋ  カメラ部
２０ｍ  充電端子部
【図１】
0003678699.tif 000002
【図２】
0003678699.tif 000003
【図３】
0003678699.tif 000004
【図４】
0003678699.tif 000005
【図５】
0003678699.tif 000006
【図６】
0003678699.tif 000007
【図７】
0003678699.tif 000008
【図８】
0003678699.tif 000009